(57)【要約】      （修正有）【課題】入力ユニット付きの開蓋構造を提供する。【解決手段】電子装置本体と蓋体とが含有され、蓋体には、枢着部と載せ体とがあり、枢着部が、電子装置本体に枢着され、載せ体が、蓋体の一端において、凹むように成型され、入力ユニットは、前記蓋体内に設置され、電子装置本体は、処理部が内蔵され、処理部が、入力ユニットに電気的に接続され、電子装置本体の載せ体に、記録媒体が挿入や載置され、記録媒体が、蓋体の入力ユニットに電気的に接続される。これにより、入力ユニットが蓋体に設置され、蓋体の載せ体に、カード形の記録媒体が挿設やセットされ、蓋体により、データの伝送やアクセスができるだけでなく、電子装置本体を遮蔽して保護し、収納空間を節約する効果が得られる。【選択図】図１
0003133826.tif 000002
【実用新案登録請求の範囲】
【請求項１】
電子装置本体と、
前記電子装置本体に枢着された枢着部、及び少なくとも一面が凹むように成型された載せ体とを含む蓋体と、
前記蓋体内に設置される入力ユニットと、を具備することを特徴とする入力ユニット付きの開蓋構造を持つ電子機器。
【請求項２】
前記電子装置本体には、前記入力ユニットに電気的に接続された処理部が内蔵されていることを特徴とする請求項１に記載の入力ユニット付きの開蓋構造を持つ電子機器。
【請求項３】
前記入力ユニットは、カード読取り機であることを特徴とする請求項１に記載の入力ユニット付きの開蓋構造を持つ電子機器。
【請求項４】
前記載せ体には、前記蓋体の入力ユニットに電気的に接続された記録媒体が、挿入又は載置されることを特徴とする請求項１に記載の入力ユニット付きの開蓋構造を持つ電子機器。
【請求項５】
前記載せ体の外形は、前記記録媒体に対応するように成型されたことを特徴とする請求項４に記載の入力ユニット付きの開蓋構造を持つ電子機器。
【請求項６】
前記記録媒体は、キャッシュカード及びクレジットカードのいずれかであることを特徴とする請求項４に記載の入力ユニット付きの開蓋構造を持つ電子機器。
【請求項７】
前記電子装置本体は、有線及び無線のいずれかによりホストに電気的に接続されたことを特徴とする請求項１に記載の入力ユニット付きの開蓋構造を持つ電子機器。
【請求項８】
前記電子装置本体は、有線及び無線のいずれかによりインターネットに接続されていることを特徴とする請求項１に記載の入力ユニット付きの開蓋構造を持つ電子機器。
【請求項９】
前記電子装置本体は、携帯電話であることを特徴とする請求項１に記載の入力ユニット付きの開蓋構造を持つ電子機器。
【請求項１０】
前記電子装置本体は、ＰＤＡ（Ｐｅｒｓｏｎａｌ  Ｄｉｇｉｔａｌ  Ａｓｓｉｓｔａｎｔ）であることを特徴とする請求項１に記載の入力ユニット付きの開蓋構造を持つ電子機器。
【請求項１１】
前記電子装置本体は、マウスであることを特徴とする請求項１に記載の入力ユニット付きの開蓋構造を持つ電子機器。
【考案の詳細な説明】
【技術分野】
【０００１】
本考案は、入力ユニット付きの開蓋構造に関し、特に、開蓋構造に入力ユニットが設置されて、データの伝送やアクセス機能を有する構造を持つ電子機器に関する。
【背景技術】
【０００２】
従来の開蓋構造は、枢着により、蓋体が収納空間を有する装置本体に設置されることにより、蓋が開閉可能になり、また、収納空間内のものを保護や遮蔽する機能が得られる。
【０００３】
しかしながら、競争が激しくなりつつ３Ｃ製品（コンピュータや通信及び消費性電子製品）市場において、開蓋構造が、携帯電話やＰＤＡ等の製品に応用されて、格別な効果や機能が派生する。例えば、携帯電話は、開蓋構造設計により、ボタンやスクリーンを遮蔽して保護し、環境や人的外力により、破壊されることを防止し、また、蓋を閉めると、携帯電話の体積が大幅に縮小するので、有効に携帯電話の占用空間を節約し、そのため、ユーザーが、携帯電話を任意に例えば、ポケットや学校鞄等に収納し、消費者の電子製品に対する携帯性要求を満足する。
【０００４】
既存の従来の開蓋構造は、入力ユニットがなく、データをアクセスする機能を備えないため、特別な幾何外形やサイズを有する記録媒体、例えば、キャッシュカードやクレジットカード及びＩＣカード等のカード形の記録媒体に対応できていない。これらのカード形の記録媒体は、幅広く日常生活に適用され、また、インターネットに連結され、例えば、ネットＡＴＭやネットワークショッピングやオークション等のメカニズムが形成され、社会により便利なデータ伝送や金融取引きが提供されるので、そのため、開蓋構造はその流れに乗って、対応する設計改良を行う必要がある。
【０００５】
本考案者は、上記の欠点を解消するため、慎重に研究し、また、学理に合わせて、設計が合理的且つ有効に上記の欠点を解消できる考案を提案する。
【考案の開示】
【考案が解決しようとする課題】
【０００６】
本考案の主な目的は、データを伝送やアクセスする機能を実現するだけでなく、遮蔽と保護及び收納に便利などの利点が得られる入力ユニット付きの開蓋構造を持つ電子機器を提供することである。
【課題を解決するための手段】
【０００７】
この課題を解決するために、本考案の電子機器は、電子装置本体と、前記電子装置本体に枢着された枢着部、及び少なくとも一面が凹むように成型された載せ体とを含む蓋体と、前記蓋体内に設置される入力ユニットと、を具備することを特徴とする入力ユニット付きの開蓋構造を持つものである。
【考案の効果】
【０００８】
本考案によれば、前記入力ユニットが、前記蓋体内に設置され、前記蓋体の載せ体に、記録媒体が、挿入や載置されることにより、前記蓋体において、データを伝送やアクセスすることができ、また、前記電子装置本体を遮蔽して保護することと收納空間を節約することが実現される。
【考案を実施するための最良の形態】
【０００９】
以下、図面を参照しながら、本考案の特徴や技術内容について、詳しく説明するが、本考案は、付録した図面等によって制限されることがない。
【００１０】
は、図１乃至図４を参照しながら、電子装置本体１と蓋体２及び入力ユニット３が含まれる本考案の入力ユニット付きの開蓋構造を説明する。
【００１１】
図１と図２は、本考案の第１の実施の形態であり、前記電子装置本体１は、マウスであり、有線や無線によりホスト６に接続され、前記ホスト６に内蔵された処理部（図に未表示）により、データ処理作業を行う。
【００１２】
前記蓋体２は、外形が、前記電子装置本体１に対応する板体であり、１対の枢着部２１と載せ体２２が備えられ、前記枢着部２１は、前記蓋体２の一端から延ばして成型される棒状構造であり、転動可能に、前記電子装置本体１の一端に枢着され、これにより、蓋を開閉できる。前記載せ体２２は、前記蓋体２の前記電子装置本体１と密着する側面に設置され、前記載せ体２２は、係合槽であり、前記蓋体２の一端において、内へ凹むように成型され、前記載せ体２２の一端が、開放された挿入口になる。前記入力ユニット３は、前記載せ体２２に設置されたカード読取り機であり、また、前記入力ユニット３は、前記ホスト６に内蔵された処理部に電気的に接続され、データを読取る作業を実行する。
【００１３】
前記蓋体２の載せ体２２には、記録媒体５が挿入できるように、又は載置できるように構成される。載せ体２２は、幾何的外形やサイズが、記録媒体５に対応するように成型され、前記記録媒体５は、カードを利用し、日常生活において、ネットワークによる商業取引きやデータ交換等の機能を備える、例えばキャッシュカードやクレジットカード等である。
【００１４】
前記記録媒体５が、前記蓋体２の載せ体２２に挿入できるように、又は載置できるように構成されることにより、前記入力ユニット３と、電気的に接続され、前記ホスト６と協同でデータを伝送やアクセス作業を実行し、また、ホスト６を介してインターネットに連結して、データ交換やネットショッピング等の商業取引きを行える。また、前記蓋体２が、開き状態である場合でも、ユーザーが、スムーズにマウスを操作して、前記記録媒体５に対してデータを伝送したりアクセスする作業ができる。
【００１５】
図３は、本考案の第２の実施の形態であり、前記電子装置本体１は、ＰＤＡ（Ｐｅｒｓｏｎａｌ  Ｄｉｇｉｔａｌ  Ａｓｓｉｓｔａｎｔ）であり、処理部４は、前記電子装置本体１に内蔵され、前記蓋体２が閉じられると、ボタン１１とスクリーン１２を遮蔽して保護し、蓋体２が開かれた時、カード形の記録媒体５が挿入又は載置でき、そして、有線によりホスト６を介して、或いは、無線によりＧＳＭ等のインターフェースを介して、インターネットに連結することができ、これにより、第１の実施の形態と同じ効果が得られる。
【００１６】
図４は、本考案の第３の実施の形態であり、前記電子装置本体１は、携帯電話であり、前記処理部４が、前記電子装置本体１に内蔵され、前記蓋体２により、携帯電話のボタン１１とスクリーン１２を遮蔽して保護し、また、蓋体２が開かれた場合、カード形の記録媒体５が挿設やセットされることができ、そして、有線により前記ホスト６を介して、或いは、無線によりＧＰＲＳ等のインターフェースを介して、インターネットに連結することができ、これにより、第１と第２の実施の形態と同じ効果が得られる。
【００１７】
本考案によれば、入力ユニット３を蓋体２に設置して、蓋体２上の載せ体２２に、カード形式の記録媒体５を挿入又は載置することができるため、蓋体２に、データを伝送やアクセスする機能だけでなく、電子装置本体１を遮蔽して保護し、收納空間を節約する効果が得られる。
【００１８】
以上は、ただ、本考案のより良い実施の形態であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１９】
【図１】本考案の第１の実施の形態の使用状態立体図
【図２】本考案の第１の実施の形態の閉合状態立体図
【図３】本考案の第２の実施の形態の使用状態立体図
【図４】本考案の第３の実施の形態の使用状態立体図。
【符号の説明】
【００２０】
１  電子装置本体
１１  ボタン
１２  スクリーン
２  蓋体
２１  枢着部
２２  載せ体
３  入力ユニット
４  処理部
５  記録媒体
６  ホスト
【図１】
0003133826.tif 000003
【図２】
0003133826.tif 000004
【図３】
0003133826.tif 000005
【図４】
0003133826.tif 000006